(57)【特許請求の範囲】
【請求項１】
内周に内方に対向して突出する第一凸部を一端から中央まで形成し、同第一凸部と円周方向に９０°ずらした位置に対向して突出する第二凸部を中央から他端まで形成した永久磁石と、中心部に設けられた回転軸に嵌合され前記永久磁石の半幅で外周に第一回り止を有する第一ロータコアと、同第一ロータコアと同一で、同第一ロータコアと互いに当接され外周に第二回り止を有する第二ロータコアと、該第一、第二ロータコアと前記永久磁石との間の空隙部に配置され、中心部に挿通孔と、前記第一、第二凸部または第一、第二回り止と対応し嵌合される各々の嵌合溝とを各々有する緩衝部材とからなり、
前記第一ロータコアを前記回転軸の一端から嵌合し、前記永久磁石の内側に前記緩衝部材を圧縮しながら挿通して同緩衝部材の嵌合溝に前記永久磁石の第一、第二凸部を嵌合し、該永久磁石及び緩衝部材を、前記第一ロータコアに前記回転軸の他端から嵌合し、前記第二ロータコアを、前記第二回り止と前記第一回り止とを９０°円周方向にずらした角度で前記回転軸の他端から同回転軸及び前記緩衝部材の嵌合溝と嵌合するとともに前記第一ロータコアと当接してなることを特徴とするモータのロータ。
【請求項２】
前記緩衝部材の材質を、前記永久磁石の第一、第二凸部より内側に嵌合時に圧縮できる収縮性を有するものとしてなることを特徴とする請求項１記載のモータのロータ。
【請求項３】
前記永久磁石の第一、第二凸部の高さを、嵌合時に前記緩衝部材を、前記永久磁石の第一、第二凸部より内側に圧縮できる値にしてなることを特徴とする請求項１記載のモータのロータ。
【請求項４】
内周に内方に対向して突出する第一凸部を一端から中央まで形成し、同第一凸部と円周方向に９０°ずらした位置に対向して突出する第二凸部を中央から他端まで形成した永久磁石と、中心部に設けられた回転軸に嵌合され前記永久磁石の半幅で外周に第一回り止を有する第一ロータコアと、同第一ロータコアと同一で、同第一ロータコアと互いに当接され外周に第二回り止を有する第二ロータコアと、該第一、第二ロータコアと前記永久磁石との間の空隙部に配置され、中心部に挿通孔と、前記第一、第二凸部または第一、第二回り止と対応し嵌合される各々の嵌合溝とを各々有する緩衝部材とからなり、
前記第一ロータコアを前記回転軸の一端から嵌合し、前記緩衝部材を、前記永久磁石とともにインサート成形して一体化した前記永久磁石及び前記緩衝部材を、前記第一ロータコアに前記回転軸の他端から嵌合し、前記第二ロータコアを、前記第二回り止と前記第一回り止とを９０°円周方向にずらした角度で前記回転軸の他端から同回転軸及び前記緩衝部材の嵌合溝と嵌合するとともに前記第一ロータコアと当接してなることを特徴とするモータのロータ。
【発明の詳細な説明】
【０００１】
【発明の属する技術分野】
本発明はモータのロータに係り、詳しくはロータコアの防振構造に関する。
【０００２】
【従来の技術】
図４（ａ）は従来のモータのロータの一例を示す左側面図、（ｂ）はＡＡ断面図、（ｃ）は右側面図である。
従来、モータのロータ１は、外周部に永久磁石４を配し、同永久磁石４と中心部に設けられた回転軸３に嵌合されたロータコア２との間の空隙部に２個のゴムによる緩衝部材５を対向して配置する。
それとともに、同緩衝部材５の外端面を各々押さえる端板６によって保持し、ピン１１とストッパ１２により嵌合していた。
【０００３】
しかしながら、前記永久磁石４に対し緩衝部材５及びロータコア２を回転軸方向から挿入するとともに、その方向に嵌合し取付けるため前記緩衝部材５が大きくなり、且つ、形状が複雑となり、材料費、取付工数がかかりコスト削減の障害となるおそれがあり問題となっていた。
一方、特開平９−１４９５７１に開示された防振構造の技術は、部品点数が多くなり、製造工程が多くなる問題が残されている。
【０００４】
【発明が解決しようとする課題】
本発明は、上記従来の問題点に鑑みなされたもので、ロータの振動、騒音を削減するとともに、部品点数を少なくし製造コストを削減したモータのロータを提供することを目的としている。
【０００５】
【課題を解決するための手段】
上記目的を達成するために、内周に内方に対向して突出する第一凸部を一端から中央まで形成し、同第一凸部と円周方向に９０°ずらした位置に対向して突出する第二凸部を中央から他端まで形成した永久磁石と、中心部に設けられた回転軸に嵌合され前記永久磁石の半幅で外周に第一回り止を有する第一ロータコアと、同第一ロータコアと同一で、同第一ロータコアと互いに当接され外周に第二回り止を有する第二ロータコアと、該第一、第二ロータコアと前記永久磁石との間の空隙部に配置され、中心部に挿通孔と、前記第一、第二凸部または第一、第二回り止と対応し嵌合される各々の嵌合溝とを各々有する緩衝部材とからなり、
前記第一ロータコアを前記回転軸の一端から嵌合し、前記永久磁石の内側に前記緩衝部材を押縮しながら挿通して同緩衝部材の嵌合溝に前記永久磁石の第一、第二凸部を嵌合し、該永久磁石及び緩衝部材を、前記第一ロータコアに前記回転軸の他端から嵌合し、前記第二ロータコアを、前記第二回り止と前記第一回り止とを９０°円周方向にずらした角度で前記回転軸の他端から同回転軸及び前記緩衝部材の嵌合溝と嵌合するとともに前記第一ロータコアと当接してなるようにする。
【０００６】
そして、前記緩衝部材の材質を、前記永久磁石の第一、第二凸部より内側に嵌合時に圧縮できる収縮性を有するものとしてなるようにする。
【０００７】
または、前記永久磁石の第一、第二凸部の高さを、嵌合時に前記緩衝部材を、前記永久磁石の第一、第二凸部より内側に圧縮できる値にしてなるようにする。
【０００８】
あるいは、内周に内方に対向して突出する第一凸部を一端から中央まで形成し、同第一凸部と円周方向に９０°ずらした位置に対向して突出する第二凸部を中央から他端まで形成した永久磁石と、中心部に設けられた回転軸に嵌合され前記永久磁石の半幅で外周に第一回り止を有する第一ロータコアと、同第一ロータコアと同一で、同第一ロータコアと互いに当接され外周に第二回り止を有する第二ロータコアと、該第一、第二ロータコアと前記永久磁石との間の空隙部に配置され、中心部に挿通孔と、前記第一、第二凸部または第一、第二回り止と対応し嵌合される各々の嵌合溝とを各々有する緩衝部材とからなり、
前記第一ロータコアを前記回転軸の一端から嵌合し、前記緩衝部材を、前記永久磁石とともにインサート成形して一体化した前記永久磁石及び前記緩衝部材を、前記第一ロータコアに前記回転軸の他端から嵌合し、前記第二ロータコアを、前記第二回り止と前記第一回り止とを９０°円周方向にずらした角度で前記回転軸の他端から同回転軸及び前記緩衝部材の嵌合溝と嵌合するとともに前記第一ロータコアと当接してなるようにする。
【０００９】
【発明の実施の形態】
発明の実施の形態を実施例に基づき添付図面を参照して詳細に説明する。
図１（ａ）は、本発明によるモータのロータの一実施例を示す右側面図、（ｂ）はＡＡ断面図、（ｃ）は左側面図、図２（ａ）は、本発明によるロータの一実施例を示す左側面図、（ｂ）はＢＯＢ断面である。
ここで、従来例と同じ部分の符号は同一とする。
図において、１はロータ、２ａは第一ロータコア、２ａ１は第一回り止、２ｂは第二ロータコア、２ｂ１は第二回り止、３は回転軸、４は永久磁石、４ａは第一凸部、４ｂは第二凸部、５は緩衝部材、５ａは挿通孔、５ｂは嵌合溝、５ｃは嵌合溝、５ｄは嵌合溝、５ｅは嵌合溝を示す。
【００１０】
モータのロータ１は、内周に内方に対向して突出する第一凸部４ａを一端から中央まで形成し、同第一凸部４ａと円周方向に９０°ずらした位置に対向して突出する第二凸部４ｂを中央から他端まで形成した永久磁石４と、中心部に設けられた回転軸３に嵌合され前記永久磁石４の半幅で外周に第一回り止２ａ１を有する第一ロータコア２ａと、同第一ロータコア２ａと同一で、同第一ロータコア２ａと互いに当接され外周に第二回り止２ｂ１を有する第二ロータコア２ｂと、該第一ロータコア２ａ、第二ロータコア２ｂと前記永久磁石４との間の空隙部に配置され、中心部に挿通孔５ａと、前記第一凸部４ａ、第二凸部４ｂまたは第一回り止２ａ１、第二回り止２ｂ１と対応し嵌合される各々の嵌合溝５ｂ、５ｃ、５ｄ、５ｅとを各々有する緩衝部材５とから構成される。
【００１１】
そして組立について説明すると、先ず前記第一ロータコア２ａを前記回転軸３の一端から嵌合する。
次いで、前記永久磁石４の内側に前記緩衝部材５を圧縮しながら挿通して同緩衝部材５の嵌合溝５ｂ、５ｃに前記永久磁石４の第一凸部４ａ、第二凸部４ｂを嵌合する。
また、該永久磁石４及び緩衝部材５を、前記第一ロータコア２ａに前記回転軸３の他端から嵌合する。
【００１２】
さらに、前記第二ロータコア２ｂを、前記第二回り止２ｂ１と前記第一回り止２ａ１とを９０°円周方向にずらした角度で前記回転軸３の他端から同回転軸３及び前記緩衝部材５の嵌合溝５ｄ、５ｅと嵌合するとともに前記第一ロータコア２ａと当接している。
【００１３】
次いで、上述の実施例による本発明の作用、効果について説明する。
前記第一凸部４ａと円周方向に９０°ずらした位置に対向して突出する第二凸部４ｂを前記嵌合溝５ｂ、５ｃに嵌合することにより、前記永久磁石と緩衝部材５を固定するとともに、前記第二回り止２ｂ１を前記第一回り止２ａ１と９０°円周方向にずらした角度で前記緩衝部材５の嵌合溝５ｄ、５ｅと嵌合し、前記緩衝部材５と第一ロータコア２ａと第二ロータコア２ｂを固定し、互いに当接しているので、ロータ１の振動、騒音を削減するとともに、前記永久磁石４の脱落を防止し、従来例における端板６、ピン１１及びストッパ１２を使用せずに部品点数を少なくし、製造工程を簡単にし信頼性を向上させることができる。
【００１４】
そして、前記緩衝部材５の材質を、前記永久磁石４の第一凸部４ａ、第二凸部４ｂより内側に嵌合時に圧縮できる収縮性を有するゴムを使用している。
これは、前記緩衝部材５を永久磁石４に圧縮して嵌合する場合に作業性を向上させるためである。
【００１５】
または、前記永久磁石４の第一凸部４ａ、第二凸部４ｂの高さを、嵌合時に前記緩衝部材５を、前記永久磁石４の第一凸部４ａ、第二凸部４ｂより内側に圧縮できる値にしてもよい。
この場合、前記緩衝部材５の材質を従来と同等としながら作業性を向上させることができる。
【００１６】
図３（ａ）は、本発明によるロータの緩衝部材と永久磁石を一体化した他の実施例を示す右側面図、（ｂ）はＣＣ断面図、（ｃ）は左側面図である。
モータのロータ１は、内周に内方に対向して突出する第一凸部４ａを一端から中央まで形成し、同第一凸部４ａと円周方向に９０°ずらした位置に対向して突出する第二凸部４ｂを中央から他端まで形成した永久磁石４と、中心部に設けられた回転軸３に嵌合され前記永久磁石４の半幅で外周に第一回り止２ａ１を有する第一ロータコア２ａと、同第一ロータコア２ａと同一で、同第一ロータコア２ａと互いに当接され外周に第二回り止２ｂ１を有する第二ロータコア２ｂと、該第一ロータコア２ａ、第二ロータコア２ｂと前記永久磁石４との間の空隙部に配置され、中心部に挿通孔５ａと、前記第一凸部４ａ、第二凸部４ｂまたは第一回り止２ａ１、第二回り止２ｂ１と対応し嵌合される各々の嵌合溝５ｂ、５ｃ、５ｄ、５ｅとを各々有する緩衝部材５とから構成される。
【００１７】
この実施例の場合、先ず前記第一ロータコア２ａを前記回転軸３の一端から嵌合する。
そして、前記緩衝部材５を、予め前記永久磁石４とともにインサート成形して一体化した前記永久磁石４及び前記緩衝部材５を、前記第一ロータコア２ａに前記回転軸３の他端から嵌合する。
さらに、前記第二ロータコア２ｂを、前記第二回り止２ｂ１と前記第一回り止２ａ１とを９０°円周方向にずらした角度で前記回転軸３の他端から同回転軸３及び前記緩衝部材５の嵌合溝５ｄ、５ｅと嵌合するとともに前記第一ロータコア２ａと当接している。
【００１８】
次いで、上述の実施例による本発明の作用、効果について説明する。
この実施例の効果は、上述の実施例と同様であるが、さらに前記緩衝部材５を、前記永久磁石４とともにインサート成形して一体化しているので、製造時の作業工程が削減され製造が容易になる。
【００１９】
【発明の効果】
以上のように本発明においては、内周に内方に対向して突出する第一凸部を一端から中央まで形成し、同第一凸部と円周方向に９０°ずらした位置に対向して突出する第二凸部を中央から他端まで形成した永久磁石と、中心部に設けられた回転軸に嵌合され前記永久磁石の半幅で外周に第一回り止を有する第一ロータコアと、同第一ロータコアと同一で、同第一ロータコアと互いに当接され外周に第二回り止を有する第二ロータコアと、該第一、第二ロータコアと前記永久磁石との間の空隙部に配置され、中心部に挿通孔と、前記第一、第二凸部または第一、第二回り止と対応し嵌合される各々の嵌合溝とを各々有する緩衝部材とからなり、
前記第一ロータコアを前記回転軸の一端から嵌合し、前記永久磁石の内側に前記緩衝部材を圧縮しながら挿通して同緩衝部材の嵌合溝に前記永久磁石の第一、第二凸部を嵌合し、該永久磁石及び緩衝部材を、前記第一ロータコアに前記回転軸の他端から嵌合し、前記第二ロータコアを、前記第二回り止と前記第一回り止とを９０°円周方向にずらした角度で前記回転軸の他端から同回転軸及び前記緩衝部材の嵌合溝と嵌合するとともに前記第一ロータコアと当接してなるようにした。
この結果、ロータの振動、騒音を削減するとともに、部品点数を少なくし製造コストを削減したモータのロータを提供することができる。
【図面の簡単な説明】
【図１】（ａ）は、本発明によるモータのロータの一実施例を示す右側面図、（ｂ）はＡＡ断面図、（ｃ）は左側面図である。
【図２】（ａ）は、本発明によるロータの一実施例を示す左側面図、（ｂ）はＢＯＢ断面である。
【図３】（ａ）は、本発明によるロータの緩衝部材と永久磁石を一体化した他の実施例を示す右側面図、（ｂ）はＣＣ断面図、（ｃ）は左側面図である。
【図４】（ａ）は、従来のモータのロータの一例を示す左側面図、（ｂ）はＡＡ断面図、（ｃ）は右側面図である。
【符号の説明】
１  ロータ
２ａ  第一ロータコア
２ａ１  第一回り止
２ｂ  第二ロータコア
２ｂ１  第二回り止
３  回転軸
４  永久磁石
４ａ  第一凸部
４ｂ  第二凸部
５  緩衝部材
５ａ  挿通孔
５ｂ  嵌合溝
５ｃ  嵌合溝
５ｄ  嵌合溝
５ｅ  嵌合溝
【図１】
0004483057.tif 000002
【図２】
0004483057.tif 000003
【図３】
0004483057.tif 000004
【図４】
0004483057.tif 000005